(57)【要約】      （修正有）【課題】疑似餌に関し、特に多様な発光によって魚をおびき寄せるための発光ユニットを収納し、該発光ユニットの着脱も容易な疑似餌を提供する。【解決手段】小魚やエビを模した外観と中空部を有する透光性樹脂製本体１と、該本体内に着脱自在に収納されるＬＥＤユニットからなる疑似餌において、単色あるいは複数色の透光性着色を施された複数の本体と、単数あるいは複数の発光色を有する単数あるいは複数のＬＥＤユニットからなり、本体の単数色あるいは複数色と、ＬＥＤユニットの単数色あるいは複数色との選択的な組合せにより、外観より視認できる発光色の種類を多様に構成したことを特徴とし、ＬＥＤユニットはバッテリーとＬＥＤまたはチップ型ＬＥＤとを収納することができ、本体に対して着脱自在にすると共に単体で水密または密閉構造とし、ＬＥＤユニットの回動によるＯＮ／ＯＦＦスイッチを備えた。【選択図】図１
2010263876.tif 000002
【特許請求の範囲】
【請求項１】
小魚やエビを模した外観と中空部を有する透光性樹脂製本体と、該本体内に着脱自在に収納されるＬＥＤユニットからなる疑似餌において、単色あるいは複数色の透光性着色を施された単数あるいは複数の本体と、単数あるいは複数の発光色を有する単数あるいは複数のＬＥＤユニットからなり、本体の単数色あるいは複数色と、ＬＥＤユニットの単数色あるいは複数色との選択的な組合せにより、外観より視認できる発光色の種類を多様に構成したことを特徴とする疑似餌。
【請求項２】
透明または透光性のある着色されたアクリルまたは蛍光アクリルからなる魚眼部の基部に本体内のＬＥＤ先端部が当接され、ＬＥＤユニット内に収納されたＬＥＤまたはチップ型ＬＥＤの発光を導光し、魚眼部より多様な発光を放射するように構成したことを特徴とする特許請求項１記載の疑似餌。
【請求項３】
透明または透光性のある着色されたアクリルまたは蛍光色アクリルからなり、本体内のＬＥＤに先端部を当接され、他端を本体尾部まで延長された導光板がＬＥＤユニット内に収納されたＬＥＤまたはチップ型ＬＥＤの発光を導光し、先端部または導光板の長手方向に光が乱反射または拡散するように構成したことを特徴とする特許請求項１記載の疑似餌。
【請求項４】
ＬＥＤユニットは、バッテリーとＬＥＤまたはチップ型ＬＥＤとを収納することができ本体に対して着脱自在にすると共に、ＬＥＤユニット単体で水密または密閉構造となっており、装着は本体下部の開口部より水平に挿入し、螺着して固定することができ、装着時には疑似餌本体が水密または密閉状態となり、ＬＥＤユニットの回動により操作可能なＯＮ／ＯＦＦスイッチを備えたことを特徴とする特許請求項１記載の疑似餌。
【発明の詳細な説明】
【技術分野】
【０００１】  本発明は疑似餌に関し、特に多様な発光によって魚をおびき寄せるためのＬＥＤユニットを収納し、該ＬＥＤユニットの着脱や交換も容易な疑似餌に関するものである。
【背景技術】
【０００２】  従来、種々の発光ルアーが開発されて特許出願されている。
【先行技術文献】
【特許文献】
【０００３】
【特許文献１】  特開２０００−１８９００４号公報
【特許文献２】  特開２００７−２８２８４３号公報
【特許文献３】  特開２００１−３７３７５号公報
【０００４】  前記せる特開２０００−１８９００４号は、ルアー自体を交換しないで、赤色，橙色、及び黄色等の異なった発光色を持った発光体をソケットに取りつけ、そのソケットホルダーをルアー本体に螺合するようになっている。
したがって、外部へ放射される発光色の種類は前記せる発光体の発光色に限定されるものであって、発光色の種類はバリエーションが少ないという問題があった。【０００５】  また、ＬＥＤは省電力であるから電気ウキ用のリチウム電池や小型ボタン電池で１８時間以上点灯可能であるが、それほどの長時間、点灯させた状態で利用することは滅多になく、任意に点灯・消灯できる構造とすることで無駄は回避できるものであり、電池交換式とすることで使い捨ても回避できる。【０００６】  従って、水に接触したことで初めて点灯するという回路の必要性は低い。そして、水に接しなければ点灯しないため、点灯確認も容易にできないという難点がある。また夜間、暗いテトラポットや桟橋、防波堤付近において、疑似餌が無点灯または無点滅では疑似餌を手でつかんだり、または疑似餌の針にかかった海産物を取り込むという作業がしにくいという難点もある。【０００７】  更に、腐食を助長する潮風に晒される場所で、なおかつ海水内での利用を前提とした場合、電子回路を内蔵することは好ましくなく故障もし易い。【０００８】  前記せる特開２００７−２８２８４３号は、擬餌鉤主体に発光ダイオード及びその電源を備えた回路装置を収設しており、水中に投入すると水の電気抵抗が作用して回路が導通状態となって作動装置を駆動させるものであった。
しかしながら、擬餌鉤本体内に回路装置を収納することはスペース上の問題もあり故障を生じる問題があった。【０００９】  更に特開２００７−２８２８４３号は、外装表面にアルミ蒸着を施し、その上に塗装を施すことで光沢性の着色を可能としているがゆえに、外装色は固定的であり、外部に照射される光は本体表面に貼られたフィルムの透明膜の部分から照射するものであり照射位置が限定される。【００１０】  したがって、外装パーツを交換などして発色や発光位置を変化させるなど、現場の状況に応じて釣り人が任意に変化させることができない。【００１１】  また、着色されたフィルムの貼り換えによって変化可能とされているが、一度海水に濡れた状態や使用時に沿岸のテトラポットや水中の岩石等にぶつかったり、イカ、魚類にかじられて本体一部が欠損したり、変形した場合に粘着フィルムを貼りかえるのは非常に手間がかかり技術が必要であった。【００１２】  また、発光ユニット自体および回路には防水機能がないため、ソケットホルダーに切られたネジのピッチを細かく、かつ長く確保することで防水性を高める必要があり、容易に交換できるとはいうものの脱着には非常に手間の掛かるものである。【００１３】  また、海水に濡れた状態で疑似餌から脱着すると内部に少量の海水が入り込み、端子類の腐食を助長する。このため、釣場で回路付の発光ユニットを交換することは容易でなく、このような構造から発光部が後方に位置し、従来、イカ等が狙いを定める疑似餌頭部に光が回らないという致命的な問題がある。【００１４】  前記せる特開平２００１−３７３７５号では、内部に分断状に収納された二種以上の物質が外力により混合ないし互いに接触して化学ルミネセンスを生じるようにしたカプセルを透明プラスチックよりなる擬似状成形物の内部に着脱自在に収納したものである。この化学ルミネセンスを生じさせるには特定の物質を用いなければならない問題があった。【００１５】  また、発光体に化学反応を利用しているため「光量」および「発色数」に制約が生じ、混ざり具合によっては発光面にムラが生じ、光源としての安定性に欠けるものであり、発光体も一回使い切りが原則で、使い回しができないものである。【００１６】  更に、状況に応じて発色を変えることは可能ながら、最初に使用した発色体が無駄になるという問題があった。
【発明の概要】
【発明が解決しようとする課題】
【００１７】  前記せる文献はいずれもそれぞれの問題点があり、しかも発光色のバリエーションが少ないという問題があったので、発光色のバリエーションを極めて多くし、その海況に応じた集魚効果を上げる疑似餌を提供することが本発明の課題である。
【課題を解決するための手段】
【００１８】  小魚やエビを模した外観と中空部を有する透光性樹脂製本体と、該本体内に着脱自在に収納されるＬＥＤユニットからなる疑似餌において、単色あるいは複数色の透光性着色を施された単数あるいは複数の本体と、単数あるいは複数の発光色を有する単数あるいは複数のＬＥＤユニットからなり、本体の単数色あるいは複数色と、ＬＥＤユニットの単数色あるいは複数色との選択的な組合せにより、外観より視認できる発光色の種類を多様に構成したことを特徴とし、透明アクリルからなる魚眼部の基部に本体内のＬＥＤ先端部が当接され、ＬＥＤユニット内に収納されたＬＥＤまたはチップ型ＬＥＤの発光を導光し、魚眼部より多様な発光を放射するように構成したことを特徴とし、蛍光色アクリルからなり、本体内のＬＥＤに先端部を当接され、他端を本体尾部付近まで延長された導光板がＬＥＤユニット内に収納されたＬＥＤまたはチップ型ＬＥＤの発光を導光し、先端部または導光板の長手方向に光が乱反射または拡散するように構成したことを特徴とし、且つ、ＬＥＤユニットは、バッテリーとＬＥＤまたはチップ型ＬＥＤとを収納することができ、本体に対して着脱自在にすると共に、単体で水密または密閉構造となっているため海水に濡れた状態でも疑似餌から容易に脱着することができる。装着は本体下部の開口部より水平に挿入し、螺着して固定することができ、装着時には疑似餌本体が水密または密閉状態となり、ＬＥＤユニットの回動により操作可能なＯＮ／ＯＦＦスイッチを備えたことを特徴とする疑似餌を提供する。
【発明の効果】
【００１９】  本発明の疑似餌は、単数又は複数色の透光性着色を施された単数あるいは複数の本体と単数または複数の発光色を有する複数のＬＥＤユニットからなり、本体の複数色とＬＥＤユニットの複数色との選択的な組合せにより、外観より視認できる発光色の種類が極めてバリエーションに富んだ多様な構成であるので、釣り人が予め分かっている発光色を選ぶことができるばかりでなく、魚類に応じた発光色の探求を実験して楽しむことができる効果がある。
【図面の簡単な説明】
【００２０】
【図１】  本発明に係る疑似餌の全体平面図である。
【図２】  本発明に係る疑似餌の全体側面図である。
【図３】  図１の部分断面図である。
【図４】  図２の部分断面図である。
【図５】  ＬＥＤユニットの側面図である。
【発明を実施するための形態】
【００２１】  以下、図面に基づき、本発明の疑似餌について具体的に説明する。
図面に於いて図１は本発明に係る疑似餌の全体平面図である。図２は本発明に係る疑似餌の全体側面図である。図３は図１の部分断面図である。図４は図２の部分断面図である。図５はＬＥＤユニットの側面図である。
【００２２】  本発明の疑似餌は、図１に示すように小魚やエビ等の海中生物を模した外観と中空部を有する透明プラスチック製の本体１と該本体１内に着脱自在に収納されるＬＥＤユニット１４からなり、複数の本体１はそれぞれ複数色の透光性着色が施されている。
【００２３】  本体１に描かれた魚眼３の部分も透明性着色が施されており、魚眼３からも発光が放射される構造になっている。
【００２４】  また、本体１の先端部には釣り糸係止リング２が本体１と一体的に形成されており、本体下部には固定ウエイトが固定されており、尾部等には釣り針４が固定されている。
【００２５】  複数のＬＥＤユニット１４は複数の発光色を有する通常ＬＥＤまたはチップ型ＬＥＤをそれぞれＬＥＤユニット１４内に収納している。
【００２６】  したがって、本体１の複数色とＬＥＤユニット１４の複数色との選択的な組合せにより外観より視認できる発光色の種類を多様に構成することができる。
【００２７】  蛍光色アクリルからなり、本体内のＬＥＤに先端部を当接され、他端を本体尾部まで延長された導光板１３がＬＥＤユニット内に収納されたＬＥＤまたはチップ型ＬＥＤの発光を導光し、先端部または導光板１３の長手方向に光が乱反射または拡散するように構成されている。
【００２８】  ＬＥＤユニット１４はバッテリーケース６内に単数または複数のリチウム電池７を収納し、先端部に通常ＬＥＤ８またはチップ型ＬＥＤを収納することができ、単体で水密または密閉構造となっており、本体１に対して着脱自在である。
【００２９】  すなわち、本体１に対してＬＥＤユニット１４を装着する場合は、ＬＥＤユニット１４を持って本体１の下部の開口部１１から水平に挿入し、螺着部１０で螺着して固定することができる。
【００３０】  ＬＥＤユニット１４の螺着部１０の手前にはＯリング９が嵌着されており、螺着部１０で螺着して強固に固定することができ、螺着時にはＯリングを介して開口部１１押圧されるので、ＬＥＤユニットの装着時には本体１内は水密または密閉状態となる。
【００３１】  リチウム電池の負極端子１５と正極端子１６とはＬＥＤユニット１４を回動してＯＮ／ＯＦＦスイッチとすることができ、リチウム電池７からＬＥＤ８またはチップ型ＬＥＤへの導通をＯＮ／ＯＦＦすることができる。
【００３２】  ＬＥＤ８またはチップ型ＬＥＤは継続的な点滅あるいは点灯ができるものであるので、引用文献のような特別な回路基板をＬＥＤユニット１４内に設ける必要がなく極めて簡単な構造であるので壊れにくい特徴がある。
【００３３】  リチウム電池７を交換する場合や本体１の複数色とＬＥＤユニット１４の複数色との選択的な組合せを行う場合にＬＥＤユニット１４を本体１から取外すときは、装着時とは逆にＬＥＤユニット１４のバッテリーケース６を持って螺合を外し引き出すことができる。
【００３４】  リチウム電池７からの通常ＬＥＤ８またはチップ型ＬＥＤへの導線は任意に設定することができるので、このような設計変更は本発明の技術範囲に属するものといえる。また、リチウム電池は単数あるいは複数を使用することが容易なため、当該設計変更も本発明の技術範囲に属するといえる。
【００３５】  図５のＬＥＤユニット１４は、それ自体で疑似餌とすることもできる。また、実施例図面ではアオリイカ用の疑似餌を記載しているが、本体の外観を任意に変更すればマルイカやヤリイカ、アカイカ、タチウオやタコ他の魚類用の疑似餌に応用できるものであって、トローリングおよびルアー用を含むこれらの設計変更は本発明の技術範囲に属するものである。
【産業上の利用可能性】
【００３６】    本発明の疑似餌は、外観より視認できる発光色の種類が極めてバリエーションに富んだ多様な構成であるので、釣り人が予め分かっている発光色を選ぶことができるばかりでなく、魚類に応じた発光色の効果を実験によってユーザーが自在に探求するような方法で楽しむこともできる効果があるので、漁具としてだけではなく、釣りを趣味とする多くの人々に利用されるという産業上の利用可能性も高いものである。
【符号の説明】
【００３７】  １  本体
２  釣り糸係止リング
３  魚眼
４  釣り針
５  ウエイト
６  バッテリーケース
７  リチウム電池
８  ＬＥＤ
９  Ｏリング
１０  螺着部
１１  開口部
１２  キャップ
１３  導光板
１４  ＬＥＤユニット
１５  負極端子
１６  正極端子
【図１】
2010263876.tif 000003
【図２】
2010263876.tif 000004
【図３】
2010263876.tif 000005
【図４】
2010263876.tif 000006
【図５】
2010263876.tif 000007